(57)【要約】【課題】特に強風に耐えられる小型の折り畳み傘に用いる傘骨構造を提供する。【解決手段】受け骨１０と、該受け骨１０に枢設される補助骨２０と、該受け骨２０に枢設されるダボ３０と、該ダボ３０に枢設されると共に、脱着可能に該ダボ３０が係合される元親骨４０と、該補助骨２０及び元親骨４０に枢設される引き骨５０とを備えると共に、該ダボ３０を元親骨４０に嵌合する時に、該受け骨１０、補助骨２０、ダボ３０、元親骨４０の一側が四辺形を形成するように設置されるものである。【選択図】  図３
0003173708.tif 000002
【実用新案登録請求の範囲】
【請求項１】
受け骨と、該受け骨に枢設される補助骨と、該受け骨に枢設されるダボと、該ダボに枢設されると共に、脱着可能に該ダボに係合される元親骨と、該補助骨及び元親骨に枢設される引き骨とを備えると共に、該ダボを元親骨に係合する時、該受け骨、補助骨、ダボ、元親骨の一側に四辺形が形成されるように設置されることを特徴とする強風対応折り畳み傘の傘骨構造。
【請求項２】
前記ダボの下部に開口を有し、その開口は、下方に向かって断面が逆Ｕ字形を呈し、両側にそれぞれ嵌合凸部が凸設され、
前記元親骨の下部に開口を有し、その開口は、下方に向かって断面が逆Ｕ字形を呈し、両側にそれぞれ、脱着可能に前記嵌合凸部と対応する嵌合孔が形成されることを特徴とする請求項１に記載の強風対応折り畳み傘の傘骨構造。
【請求項３】
前記補助骨の外端が前記受け骨の中段に枢設され、
前記ダボの中段が前記受け骨の外端に枢設され、
前記元親骨の内端近傍が前記ダボの内端に枢設され、
前記引き骨の内端が前記補助骨の外端近傍に枢設されると共に、外端が前記元親骨の内端に枢設されることを特徴とする請求項１または２に記載の強風対応折り畳み傘の傘骨構造。
【考案の詳細な説明】
【技術分野】
【０００１】
本考案は、傘骨に関し、特に小型の折り畳み傘に設けられる強風に耐え得る傘骨構造に関するものである。
【背景技術】
【０００２】
図６に示すように、従来の折り畳み傘は、中棒９１と、該中棒９１の上端近傍に設けられる上ロクロ９２と、該上ロクロ９２の下方に位置するように中棒９１に沿ってスライド自在に設けられる下ロクロ９３と、複数の骨部材、つまり、内端が下ロクロ９３に枢設される受け骨９４と、内端が上ロクロ９２の中段に枢設されて外端が受け骨９４の中段に枢設される補助骨９５と、内端近傍部分が受け骨９４の外端に枢設される元親骨９６と、該受け骨９４とほぼ平行となるように、内端が補助骨９５の内端近傍に枢設され、外端が元親骨９６の内端に枢設される引き骨９７とを備える。
【０００３】
従来の傘を使用する（つまり、展開する）際は、下ロクロ９３を中棒９１に沿って上方に押し上げて、受け骨９４を下ロクロ９３に対して枢動させると共に、補助骨９５を上ロクロ９２に対して枢動させることによって、傘生地を展開させる。この時、受け骨９４、補助骨９５、引き骨９７、元親骨９６の一側が四辺形を形成するように引き骨９７及び元親骨９６を外側へ展開すれば、傘が開いた状態となる。
【考案の概要】
【考案が解決しようとする課題】
【０００４】
前記従来の折り畳み傘は、傘の使用時に強風に煽られた場合、傘生地が元親骨９６と共に上方に持ち上げられる力を受けるが、下ロクロ９３が所定位置より上方に移動することを制限することによって、受け骨９４及び補助骨９５が定められた範囲を超えて枢転できないようになっている。
【０００５】
しかしながら、風が強過ぎると、強風に煽られた傘生地が元親骨９６と引き骨９７とを枢転させようとする力が強くなり、元親骨９６と引き骨９７との枢設箇所が変形し、傘が破損して自由に開閉することができなくなってしまう。このように、従来の折り畳み傘は、風が強過ぎると、その強風に抵抗する力が足りずに、破損してしまうことがあったので、リンク部材を改良する必要があった。
【課題を解決するための手段】
【０００６】
本考案に係る強風対応折り畳み傘のリンク部材構造は、受け骨と、該受け骨に枢設される補助骨と、該受け骨に枢設されるダボと、該ダボに枢設されると共に、脱着可能に該ダボに係合される元親骨と、該補助骨及び元親骨に枢設される引き骨とを備えると共に、該ダボを元親骨に係合する時、該受け骨、補助骨、ダボ、元親骨の一側が四辺形を形成するように設置されるものである。
【０００７】
前記ダボの下部に開口を有し、その開口は、下方に向かって断面が逆Ｕ字形を呈し、両側にそれぞれ嵌合凸部が凸設され、
前記元親骨の下部に開口を有し、その開口は、下方に向かって断面が逆Ｕ字形を呈し、両側にそれぞれ、脱着可能に前記嵌合凸部と対応する嵌合孔が形成されることが好ましい。
【０００８】
前記補助骨の外端が前記受け骨の中段に枢設され、
前記ダボの中段が前記受け骨の外端に枢設され、
前記元親骨の内端近傍が前記ダボの内端に枢設され、
前記引き骨の内端が前記補助骨の外端近傍に枢設されると共に、外端が前記元親骨の内端に枢設されることが好ましい。
【考案の効果】
【０００９】
本考案に係る強風対応折り畳み傘の傘骨構造は上記の如く、ダボが受け骨と元親骨との間に枢設され、この時、該ダボが枢転により元親骨に脱着可能に枢設される構造を有し、この構成によれば、使用時にダボは元親骨に嵌合されることから、傘をスムーズに開いたり、閉じたりすることができる。一方、傘が強風に煽られ、元親骨が強風を受けてダボに対して上方へ持ち上げられた時は、該ダボを元親骨から脱出させると共に、該元親骨が先親骨と一緒に上方へ持ち上げられ、傘を壊さないように強風の衝撃を緩和する。
【００１０】
また、傘を閉じる時は、前記ダボが元親骨に嵌合されることから、該元親骨が上方に折れないように、傘骨構造をＷ字形のように簡単に折畳むことができる。さらに、前記元親骨は、断面Ｕ字形を呈することから、ダボをカバーするように嵌合するので、傘骨構造の体積を減少させると共に、持ち運ぶ時にとても便利である。
【図面の簡単な説明】
【００１１】
【図１】本考案に係る強風対応折り畳み傘を展開した状態を示す斜視図である。
【図２】本考案に係る強風対応折り畳み傘の傘骨構造を展開した状態を示す側面図である。
【図３】本考案に係る強風対応折り畳み傘の傘骨構造の部分分解斜視図である。
【図４】本考案に係る強風対応折り畳み傘の傘骨構造を閉じた状態を示す側面図である。
【図５】本考案に係る強風対応折り畳み傘の傘骨構造が裏返った状態を示す側面図である。
【図６】従来の折り畳み傘のリンク部材構造の側面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１に示すように、本考案に係る強風対応折り畳み傘の傘骨構造は、受け骨１０と、補助骨２０と、ダボ３０と、元親骨４０と、引き骨５０と、先親骨６０とを有する。
【００１４】
図１乃至図３に示すように、前記補助骨２０は、外端が前記受け骨１０の中段に枢設され、前記ダボ３０は、中段が該受け骨１０の外端に枢設されると共に、下方に開口を有する断面逆Ｕ字形を呈し、両側にそれぞれ嵌合部３１が凸設され、前記元親骨４０は、内端近傍が該ダボ３０の内端に枢設され、下方に開口を有する断面逆Ｕ字形を呈し、両側にそれぞれ嵌合孔４１が形成され、この時、該ダボ３０は、該元親骨４０の開口を介して部分的に該元親骨４０の内部に位置すると共に、該嵌合部３１が脱着可能に該嵌合孔４１に係合され、さらに、前記引き骨５０は、内端が前記補助骨２０の外端近傍に枢設されると共に、外端が前記元親骨４０の内端に枢設され、前記先親骨６０は、内端が元親骨４０の外端に枢設される。
【００１５】
さらに、図１に示すように、本考案に係る傘骨構造を用いる強風対応折り畳み傘は、中棒７１と、上ロクロ７２と、下ロクロ７３と、傘生地７４とを有し、その内、該上ロクロ７２は、中棒７１の上端近傍に設置され、該下ロクロ７３は、該上ロクロ７２の下方に位置するように、中棒７１上にスライド自在に設置される。この構成によれば、前記傘骨構造は、上ロクロ７２及び下ロクロ７３に組みこまれ、その内、受け骨１０の内端は、下ロクロ７３に枢設され、補助骨２０の内端が上ロクロ７２に枢設され、傘生地７４が中棒７１の上端において複数の傘骨構造を覆うように張設される。
【００１６】
図２乃至図４に示すように、本考案に係る傘骨構造を用いた強風対応折り畳み傘を折り畳む時は、受け骨１０、元親骨４０、先親骨６０がほぼ平行となるように折り畳み、ダボ３０の嵌合部３１が元親骨４０に係合されるように収納され（図４の如く）、一方、傘を開く時は、下ロクロ７３を押し上げ、受け骨１０を下方へ移動させると共に、補助骨２０を上ロクロ７２に対して上方へ移動させ、その後、該受け骨１０、補助骨２０、元親骨４０、引き骨５０の一側が四辺形を形成するように設置されることから、受け骨１０及び補助骨２０の枢転移動によって、元親骨４０と、引き骨５０と、先親骨６０とを枢転移動させて傘生地７４を展開すれば、傘を開くことができる。
【００１７】
図２、図３及び図５に示すように、強風に煽られた時は、傘生地７４が風力を受けて元親骨４０及び先親骨６０が上方へ移動し、この時、先親骨６０の移動方向は、傘を折り畳んで収納する時の折曲方向と同一であることから、上方へ移動しても壊れることはなく、更に、下ロクロ７３が所定位置に位置決められることにより、受け骨１０及び補充骨２０が移動不能に位置決め固定されていることから、元親骨４０に伴なって上方へ枢転移動することができないので、元親骨４０とダボ３０との係合箇所が強風による力を受けることになる。また、風が強過ぎる時は、ダボ３０の嵌合部３１が元親骨４０の嵌合孔４１から離脱し、元親骨４０がダボ３０に対して上方へ枢転移動すると共に、ダボ３０が受け骨１０に対して枢転することができる。この構成によれば、元親骨４０が、風力を受けた方向、つまり上方に枢転移動し、強風に対応するので、傘の破損を防ぐことができる。
【００１８】
本考案に係る強風対応折り畳み傘の傘骨構造において、傘を閉じる時は、先ず下ロクロ７３を中棒７１に沿って下方へ移動させることにより、受け骨１０を、中棒７１と接近させながら上方へ枢転移動させる。この時、補助骨２０は、受け骨１０に引かれて下方へ枢転移動しながら受け骨１０と引き骨５０とを畳む。また、元親骨４０を中棒７１と接近するように下方へ枢転移動させると、ダボ３０が部分的に該元親骨４０の内部に位置するこういう状態で元親骨４０が受け骨１０を畳む。その後、先親骨６０を元親骨４０に対して上方へ枢転移動させ、その傘骨構造をＷ字形のように折り畳んで小体積に収納するので、全体の体積を小さくすることができる。
【符号の説明】
【００１９】
１０                  受け骨
２０                  補助骨
３０                  ダボ
３１                  嵌合部
４０                  元親骨
４１                  嵌合孔
５０                  引き骨
６０                  先親骨
７１                  中棒
７２                  上ロクロ
７３                  下ロクロ
７４                  傘生地
９１                  中棒
９２                  上ロクロ
９３                  下ロクロ
９４                  受け骨
９５                  補助骨
９６                  元親骨
９７                  引き骨
【図１】
0003173708.tif 000003
【図２】
0003173708.tif 000004
【図３】
0003173708.tif 000005
【図４】
0003173708.tif 000006
【図５】
0003173708.tif 000007
【図６】
0003173708.tif 000008